(57)【特許請求の範囲】
【請求項１】
前面が開放された外箱と内箱を備え、かつ該内箱の底部に、下面が開口された扁平箱状の底板を、水平または前下がり傾斜可能として取付けてなる冷蔵オープンショーケースおいて、
前記内箱の後面板の左右両側部に、上下に並ぶ複数の係合孔を列設し、左右の係合孔の適所に、側面視Ｌ字状をなし、かつ前端に、左右寸法が前記底板における左右両側片の対向面間の寸法よりもやや小さな上向支持片を有する支持ブラケットを、その左右両端部に後向きに突設した係止爪を係止することにより取付け、底板の後端部下面を前記上向支持片の上端により支持し、かつ底板の前端を、前記内箱の前面板に設けた係止孔に係止した支持手段をもって支持したことを特徴とする冷蔵オープンショーケース。
【請求項２】
底板の下面に、前後方向を向く少なくとも左右１対の補強杆を固着し、該補強杆の後端部に、上向支持片が遊嵌する上向き凹状の切欠溝を設けた請求項１記載の冷蔵オープンショーケース。
【請求項３】
上向支持片の上端に、補強杆における切欠溝を除く部分が嵌合する切欠きを設けた請求項２記載の冷蔵オープンショーケース。
【請求項４】
支持手段を、底板の前部側片に前後方向に摺動可能に取付けられた平面視前向きコ字状の支持杆としてなる請求項１〜３のいずれかに記載の冷蔵オープンショーケース。
【発明の詳細な説明】
【０００１】
【発明の属する技術分野】
本発明は、冷凍食品や生鮮食料品等を保冷する冷蔵オープンショーケースに係り、特に、その底板の支持構造に関する。
【０００２】
【従来の技術】
スーパーマーケット等で使用される上記のような冷蔵オープンショーケースの中には、例えば図７に略示するように、商品の展示効果を高めるために、底板を前傾させて取付けうるようにしたものがある。
【０００３】
【発明が解決しようとする課題】
しかし、上述した従来のオープンショーケースでは、底板(ａ)の前後両端部の下端が、ケースにおける内箱の前面板(ｂ)と後面板(ｃ)とに取付けられた側面視内向きＬ字状の底板支え(ｄ)により支持されているため、底板(ａ)を、一般的に多用されている形状、すなわち方形の鋼板を折曲することにより、下面が開口された扁平箱状のものとすると、後面板(ｃ)側において底板支え(ｄ)と底板(ａ)の後端部下面との間に隙間(ｅ)が形成され、その隙間を通って冷気の一部が陳列室内に逃げてしまう。
【０００４】
このようになると、冷気の正常な流れが妨げられ、ショートサイクルと呼ばれる現象が発生して、商品の保冷効果を低下させたり、消費電力が増大したりする。
【０００５】
本発明は、上記問題に鑑みてなされたもので、通常の箱状の底板を使用しても、冷気のショートサイクルが発生することがなく、商品の保冷効果を高めるとともに、消費電力を小さくしうるようにした、冷蔵オープンショーケースを提供することを目的としている。
【０００６】
【課題を解決するための手段】
本発明によると、上記課題は、次のようにして解決される。
（１）前面が開放された外箱と内箱を備え、かつ該内箱の底部に、下面が開口された扁平箱状の底板を、水平または前下がり傾斜可能として取付けてなる冷蔵オープンショーケースおいて、前記内箱の後面板の左右両側部に、上下に並ぶ複数の係合孔を列設し、左右の係合孔の適所に、側面視Ｌ字状をなし、かつ前端に、左右寸法が前記底板における左右両側片の対向面間の寸法よりもやや小さな上向支持片を有する支持ブラケットを、その左右両端部に後向きに突設した係止爪を係止することにより取付け、底板の後端部下面を前記上向支持片の上端により支持し、かつ底板の前端を、前記内箱の前面板に設けた係止孔に係止した支持手段をもって支持する。
【０００７】
（２）上記(１)項において、底板の下面に、前後方向を向く少なくとも左右１対の補強杆を固着し、該補強杆の後端部に、上向支持片が遊嵌する上向き凹状の切欠溝を設ける。
【０００８】
（３）上記(２)項において、上向支持片の上端に、補強杆における切欠溝を除く部分が嵌合する切欠きを設ける。
【０００９】
（４）上記(１)〜(３)のいずれかにおいて、支持手段を、底板の前部側片に前後方向に摺動可能に取付けられた平面視前向きコ字状の支持杆とする。
【００１０】
【発明の実施の形態】
以下、本発明の実施形態を図面に基づいて説明する。
図１〜図３は、本発明の第１の実施形態を示す。
図１に示すように、前面開放型の冷蔵オープンショーケース（以下、ショーケースと略称する）(１)は、基台(２)上に設けられた、前面（以下、図１の右方を前として説明する）が開放する概ね前向きコ字状断面の断熱性の外箱(３)と、内箱(４)とを備え、それらの間には、冷気の循環路(５)が形成されている。
【００１１】
循環路(５)の上端前部には、冷気の吹出口(６)が、また、同じく下端前部には、冷気の吸込口(７)が、それぞれほぼ対向状に形成されている。
【００１２】
外箱(３)と内箱(４)間における底部の循環路(５)内には、熱交換器である冷却装置(８)が収容され、またその前方の隔壁(９)には、送風機(10)が取付けられている。
【００１３】
内箱(４)における隔壁(９)よりも前方の底面板(4a)の一部は開口され、循環路(５)の上流側と連通している。
内箱(４)内の暖められた冷気は、送風機(10)により吸引されて矢印の方向に循環し、冷却装置(８)により再度冷却された冷気は、上方の吹出口(６)から吸込口(７)に向かって吹き出され、ショーケース(１)の前面にエアカーテンを形成するとともに、一部の冷気が内箱(４)内に流入して、それに取付けた棚板(11)及び底板(12)上の商品が保冷されるようになっている。
【００１４】
上記底板(12)は、図３にも示すように、方形の金属板の四辺に下向き垂直の側片(12a)を有する、下面が開口された扁平な箱状をなしている。なお、前後の側片(12a)の下端は内向きに折曲してある。
【００１５】
上記前部側の側片(12a)には、平面視前向きコ字状に折曲された金属製の支持杆(13)における左右の側杆(13a)(13a)が、折曲部が底板(12)の下部に位置するように、側片(12a)に穿設した貫通孔（図示略）に前後方向に摺動可能に嵌合されている。
【００１６】
両側杆(13a)の前端下部には、係止ピン(14)(14)が下向きに突設され、それらの係止ピン(14)は、内箱(４)における上向きの前面板(4b)に形成した係止孔（図示略）に挿通して係止しうるようになっている。
【００１７】
内箱(４)の後面板(4c)に設けられた上下方向を向く左右の補強支柱(15)(15)には、上記底板(12)の後端部下面を支持するための金属製の支持ブラケット(16)が、次のようにして取付けられている。
【００１８】
支持ブラケット(16)は、図２に示すように、その左右長が、左右の補強支柱(15)間の離間寸法とほぼ等しい、側面視Ｌ字状に形成され、前端には、若干短寸の上向支持片(17a)が連設されている。
【００１９】
支持ブラケット(16)の後面の左右両端には、上下２個の下向き鉤状の係止爪(18)が後向きに突設されている。
【００２０】
上記左右の係止爪(18)を、補強支柱(15)の前面に列設した複数の係合孔(19)に選択的に挿入して係合することにより、支持ブラケット(16)は、後面板(4c)の前面に高さ調節可能として取付けられる。
【００２１】
底板(12)を左右に２個並べて支持する際には、支持ブラケット(16)の上向支持片(17a)を、その中央部に形成した切欠溝(20)部において２分し、２分した左右の上向支持片(17b)により、各底板(12)の後端部を支持するようにする。
【００２２】
上記左右の上向支持片(17b)の左右寸法は、底板(12)における左右両側片(12a)の対向面間の寸法より僅かに短寸とされ、上向支持片(17b)が底板(12)の下部空間内に入り込むようにしてある。
【００２３】
上記底板(12)を内箱(４)の下部に前下がり傾斜状に取付けるには、図１に示すように、まず支持ブラケット(16)を、内箱(４)の後面板(4c)における左右の補強支柱(15)の適宜の係合孔(19)に、上述した要領で取付ける。
【００２４】
ついで、左右の底板(12)の後端部を、支持ブラケット(16)における左右の上向支持片(17b)に上方より嵌挿し、その上端により底板(12)の後端部下面を受支する。
この際、上向支持片(17b)の左右両端が、底板(12)の下部空間内においてその左右の側片(12a)の内側面と近接または当接することにより、各底板(12)は、左右方向に移動するのが規制される。
【００２５】
このようにして、底板(12)の後端部を支持ブラケット(16)により支持したのち、底板(12)の前端を、支持杆(13)における側杆(13a)の突出長を適宜に調整して、その前端部を内箱(４)の前面板(4b)の係止孔に嵌合し、係止ピン(14)により抜け止めする。
これにより、左右の底板(12)は、図１のように、所要の角度前下がり傾斜状に取付けられる。
【００２６】
取付後において、底板(12)の後端部下面と支持ブラケット(16)の上向支持片(17b)との間には、殆ど隙間が形成されないので、底板(12)の下方に流入した冷気が、支持ブラケット(16)部より上方に逃げ、ショートサイクルが発生するのが防止される。
【００２７】
なお、図１の２点鎖線で示すように、支持ブラケット(16)の取付位置を下位とすれば、底板(12)を水平に取付けうるのは勿論である。
また、底板(12)を取外す際は、その前端部に穿設した指掛け孔(21)（図３参照）を使用して行うことができる。
【００２８】
図４〜図６は、本発明の第２の実施形態を示すもので、上記と同様の底板(12)の裏面の左右両側部に、前後方向を向く上向きコ字状断面の補強杆(22)(22)を固着し、両補強杆(22)の後端部に外向きの固定片(22a)を残して形成された上向きの切欠溝(23)(23)が、内箱(４)に取付けた支持ブラケット(16)の上向支持片(17b)の上端に当接して支持されるようにしてある。
【００２９】
支持杆(13)の両側杆(13a)は、左右の補強杆(22)内に収容され、かつ両補強杆(22)の内側面とそれに連続する固定片(22a)の一部を前後方向に若干切欠き、その切欠部(24)に支持杆(13)の折曲部を挿通することにより、前後方向に移動しうるようにしてある。
【００３０】
図６の底面斜視図に示すように、上向支持片(17b)における切欠溝(23)への挿入部分の上端（図では下端）は、左右の固定片(22a)間の寸法に相当する長さに亘って、その板厚分だけ切欠いて凹ませてあり、その凹部(25)の上端が両固定片(22a)の下面に当接し、かつ凹部(25)を除いた上向支持片(17b)の上端が底板(12)の下面に当接するようにしてある。
【００３１】
従って、上記実施形態と同様、底板(12)の後端部下面及び補強片(22)と、支持ブラケット(16)の上向支持片(17b)との間に隙間が形成されるのが防止され、ショートサイクルが発生することがなくなる。
本発明は、上記実施形態に限定されるものではない。
【００３２】
上記実施形態では、１個の支持ブラケット(16)により左右２枚の底板(12)を支持するようにしているが、左右寸法の小さな小型のショーケース(１)などのときには、１個の支持ブラケット(16)で１枚の底板(12)を支持しうるようにしてもよいことは勿論である。
【００３３】
底板(12)の前端の支持手段に、支持杆(13)を用いているが、このような支持杆(13)を用いないで、内箱(４)の前面板(4b)に後向きＬ字状の支持金具を取付け、これにより、底板(12)の前端下面を直接指示するようにしてもよい。また、支持杆(13)を前後に移動可能としているが、固定的に取付けてもよい。
【００３４】
補強杆(22)を切欠いて切欠溝(23)を設ける代わりに、単に補強杆(22)の後端部を上向凹状に凹ませてもよい。
【００３５】
【発明の効果】
請求項１記載の発明によれば、底板が側片を備える箱状であっても、その後端部下面が、支持ブラケット前端の上向支持片の上端により支持されるので、上向支持片と底板の下面との間に隙間が形成されることはなく、その隙間より冷気が上方に逃げて、ショートサイクルが発生するのが防止される。
また、上向支持片が底板の下部の左右両側片間に位置しているので、左右方向へ移動するのも阻止される。
【００３６】
請求項２記載の発明によれば、底板を大きくしたり、薄肉化したりしても十分な強度を有するとともに、上向支持片は、切欠溝内に挿入されて底板を支持するので、補強杆を設けても、上向支持片と底板の下面との間に大きな隙間が形成されることがなく、ショートサイクルが発生する恐れは小さくなる。
【００３７】
請求項３記載の発明によれば、補強杆の切欠溝部を跨いで、上向支持片の上端が底板の下面に当接するので、それらの間に隙間は殆ど形成されず、ショートサイクルの発生するのが防止される。
【００３８】
請求項４記載の発明によれば、係止杆の前部側片よりの突出長を変えうるので、底板の傾斜角度の調節範囲を大とすることができる。
【図面の簡単な説明】
【図１】本発明の第１の実施形態を示すショーケースの縦断側面図である。
【図２】同じく、内箱の後面板への支持ブラケット及び底板の取付前の分解斜視図である。
【図３】同じく、底板を下方より見た斜視図である。
【図４】同じく、本発明の第２の実施形態に用いる底板を下方より見た斜視図である。
【図５】同じく、図４に示す底板を支持ブラケットにより支持した状態の中央縦断側面面図である。
【図６】同じく、図４に示す底板の切欠溝部と上向支持片の当接部を上下反対向きとして示す斜視図である。
【図７】従来のショーケースの底板の支持構造を示す縦断側面図である。
【符号の説明】
(１)冷蔵オープンショーケース
(２)基台
(３)外箱
(４)内箱
(4a)底面板
(4b)前面板
(4c)後面板
(５)循環路
(６)吹出口
(７)吸込口
(８)冷却装置
(９)隔壁
(10)送風機
(11)棚板
(12)底板
(12a)側片
(13)支持杆
(13a)側杆
(14)係止ピン
(15)補強支柱
(16)支持ブラケット
(17a)(17b)上向支持片
(18)係止爪
(19)係合孔
(20)切欠溝
(21)指掛け孔
(22)補強杆
(22a)固定片
(23)切欠溝
(24)切欠部
(25)凹部
【図１】
0004109474.tif 000002
【図２】
0004109474.tif 000003
【図３】
0004109474.tif 000004
【図４】
0004109474.tif 000005
【図５】
0004109474.tif 000006
【図６】
0004109474.tif 000007
【図７】
0004109474.tif 000008